(57)【要約】【課題】渦巻きばねに正規の巻き方向とは逆方向の外力が掛かっても捩れによる変形を起こすことなく、故障のない自閉装置を提供する。【解決手段】上枠に取り付けたガイドレールのレール部上に戸車を載せた開閉自在な引戸において、引戸の戸尻側上端には自閉装置が設けられており、この自閉装置は、巻き戻しによる反発力により引戸の閉動作を行なわせるために立設姿勢で配設された渦巻ばね１６を備え、この渦巻ばね１６の中心側端部１６ａが係止されておりばね力調整手段としての軸体１７は長さ方向一端側の端面に軸体を回すためにドライバーなどの治具の先端を係止させる溝が形成され、この長さ方向一端近傍から長さ方向他端側との間で全長に亘って互いに向き合うようにＶ溝２９，２９が対向して形成されており、何れか一方のＶ溝２９に渦巻ばね１６の中心側端部１６ａが係止されるように構成した。【選択図】    図１２
2006214134.tif 000002
【特許請求の範囲】
【請求項１】
引戸を閉方向に付勢する引戸の自閉装置であって、自閉装置は、巻き戻しによる反発力により引戸の閉動作を行なわせるための渦巻ばねと、この渦巻ばねの中心側端部が係止されているとともにその両端面が外部に臨むように露出して配設されている回転可能なばね力調整手段としての軸体と、渦巻ばねを収納し渦巻ばねの外周側端部が係止されている正面形状が円形の渦巻ばねケースと、渦巻ばねケースに環状部が外嵌固定されている駆動用輪体としての駆動用歯車とを備え、前記軸体は、長さ方向一端側の端面に軸体を回すためにドライバーなどの治具の先端を係止させる溝が形成され、この長さ方向一端近傍から長さ方向他端側との間の位置にＶ溝が形成されており、このＶ溝に渦巻ばねの中心側端部が係止されるように構成したことを特徴とする引戸の自閉装置。
【発明の詳細な説明】
【技術分野】
【０００１】
本発明は、引戸の閉動作を自動的に行なわせるように構成した引戸の自閉装置に関するものである。
【背景技術】
【０００２】
従来のこの種引戸の自閉装置として例えば特許文献１に開示されているものがある。この特許文献１に開示されている自閉装置は本体の内部に渦巻きばねが内蔵されたプーリーが収納され、前記渦巻きばねの一端はプーリーの中心に位置するように本体に支持された軸体の長さ方向に形成された−状の溝に係止され、渦巻きばねの他端はプーリーに係止されるようになっている。このような構成を備えた自閉装置は引戸の上端に内蔵され、引戸を閉方向から開方向に移動させることによりプーリーの回転により渦巻きばねに反発力が蓄積され、開状態の引戸は渦巻きばねに蓄積された反発力により閉方向に自動的に戻ることになる。
【特許文献１】特開平７−２５９４２４号公報
【発明の開示】
【発明が解決しようとする課題】
【０００３】
従来の特許文献１に開示されている自閉装置において、詳細な説明はないが、通常は軸体の長さ方向一端頭部の−溝にドライバーの先端を係止させて軸体を回すことにより渦巻きばねのばね力の調整を行なうようになっており、渦巻きばねの反発力が零になった状態で軸体を正規とは逆方向に回すと軸体の周りで渦巻きばねが捩れ、変形を起こすとともに、渦巻きばねの一端が軸体の長さ方向に形成された−状の溝から外れてしまい、自閉装置本体内部を分解して新しいものと取り替えなければならないという問題があった。つまり、軸体を直接回す他、他の何らかの方法により渦巻きばねに正規の巻き方向とは逆方向の外力を掛けると軸体の周りで渦巻きばねが捩れるように変形を起こし、故障が生じるという問題があった。
【０００４】
本発明の目的は、このような課題を解決するものであり、渦巻きばねに正規の巻き方向とは逆方向の外力が掛かっても捩れによる変形を起こすことなく、故障のない自閉装置を提供することにある。
【課題を解決するための手段】
【０００５】
本発明の請求項１に記載の引戸の自閉装置は、引戸を閉方向に付勢する引戸の自閉装置であって、自閉装置は、巻き戻しによる反発力により引戸の閉動作を行なわせるための渦巻ばねと、この渦巻ばねの中心側端部が係止されているとともにその両端面が外部に臨むように露出して配設されている回転可能なばね力調整手段としての軸体と、渦巻ばねを収納し渦巻ばねの外周側端部が係止されている正面形状が円形の渦巻ばねケースと、渦巻ばねケースに環状部が外嵌固定されている駆動用輪体としての駆動用歯車とを備え、前記軸体は、長さ方向一端側の端面に軸体を回すためにドライバーなどの治具の先端を係止させる溝が形成され、この長さ方向一端近傍から長さ方向他端との間の位置にＶ溝が形成されており、このＶ溝に渦巻ばねの中心側端部が係止されるように構成したことを特徴とする。
【発明の効果】
【０００６】
以上のように、本発明の引戸の自閉装置は、渦巻きばねに正規の巻き方向とは逆方向の外力が掛かっても捩れによる変形を起こすことなく、渦巻ばねの中心側端部が軸体から外れるだけであり、軸体の長さ方向他端側の端面にドライバーなどの治具の先端を係止させて軸体を回転させることによりＶ溝に渦巻ばねの中心側端部が係合するように復帰させることができ、故障のない自閉装置を提供することができる。
【発明を実施するための最良の形態】
【０００７】
以下、本発明の一実施の形態を、図１〜図１４を用いて具体的に説明する。
図において、１は引戸であって、屋内の出入り口などの所定位置に設けられている上枠２、戸先側堅枠３、戸尻側堅枠４および床部５で形成された開口部に設けられている。
【０００８】
引戸１の上端の戸先寄りおよび戸尻寄りの所定箇所にはそれぞれ上方に延設されたブラケット６、７を介して戸車８、９が回転自在に支持されている。
また、上枠２には、ガイドレール１０が固定され、このガイドレール１０のレール部１１上に前記戸車８、９が転動自在に載置されている。
【０００９】
前記床部５には引戸１を開閉方向にガイドするガイドローラ１２が立設されている。
ところで、戸尻寄りのブラケット７には制動装置１３付きの自閉装置１４が一体的に設けられている。この制動装置１３付きの自閉装置１４は、収容ケース１５と、収容ケース１５内における戸尻寄り箇所に立設姿勢で配設され、巻き戻しによる反発力により引戸の閉動作を行なわせる渦巻ばね１６と、この渦巻ばね１６の中心側端部が係止されているとともにその両端面が収容ケース１５より外部に臨むように露出して配設されている回転可能な調整手段としての軸体１７と、この軸体１７に形成した六角ナット１８を弾性的に上下から挟持して軸体１７の位置を規制するばね１９と、渦巻ばね１６を収納し渦巻ばね１６の外周側端部が係止されている正面形状が円形の渦巻ばねケース２０と、渦巻ばねケース２０に環状部２１ａが外嵌固定され、上部が収容ケース１５より上方に突出している駆動用輪体としての駆動用歯車２１と、収容ケース１５内における戸先寄り箇所に配設され、所定の回転方向に対してのみ制動機能を発揮して引戸１が閉方向に移動される際にこの閉動作を制動させるオイルダンパによる制動装置１３と、この制動装置１３の外周に形成されて前記駆動用歯車２１と噛合する制動用輪体としての制動用歯車２２とを備え、前記ブラケット７は収容ケース１５から上方に一体に延設され、このブラケット７の上端に戸尻側の戸車９が回転自在に支持されている。また、前記ガイドレール１０にはレール部１１の上方で前記駆動用歯車２１と噛合するラック２３が取り付けられている。このラック２３が設けられる範囲は引戸１に自閉装置１４を組み付けた状態で駆動用歯車２１が引戸１に伴って移動する範囲に対応している。また、前記ガイドレール１０の戸尻側端部には引戸１を開ききった状態で引戸１を停止させるために前記駆動用歯車２１の環状部２１ａの上端円弧面に圧接するストッパーばね２４が取り付けられている。
【００１０】
なお、収容ケース１５の戸先側底部には、駆動用歯車２１ならびに制動用歯車２２のストッパー２５を解除して駆動用歯車２１ならびに制動用歯車２２を自在に回動させるためのストッパー解除用金具２６を挿通させる孔部１５ａが形成され、ストッパー解除用金具２６を孔部１５ａに差し込むことにより制動用歯車２２に係止していた板ばね材からなるストッパー２５に押圧当接してストッパー２５を制動用歯車２２から外し駆動用歯車２１ならびに制動用歯車２２を回動可能とするものである。ストッパー解除用金具２６はＬ型を呈し、下端水平部２６ａが孔部１５ａに差し込まれることによりストッパー２５は制動用歯車２２から外れ駆動用歯車２１ならびに制動用歯車２２は自在に回動できるようになる。前記ストッパー解除用金具２６は、自閉装置１４および制動装置１３を収容する収容ケース１５をセットするために引戸１の戸尻側上端部に形成された凹部２７の戸先側下端角部より収容ケース１５の底部の板厚分浮かして上下方向に向く部分２６ｂを凹部２７の戸先側奥面にビス止めにて取り付けられており、保守、点検などのために収容ケース１５を凹部２７から横方向に引き抜くと収容ケース１５からストッパー解除用金具２６の下端水平部２６ａが抜け外れてストッパー２５により駆動用歯車２１ならびに制動用歯車２２は自在に回動できなくなる。
【００１１】
前記自閉装置１４についてさらに詳細に述べると、渦巻ばね１６の中心側端部が係止されているとともにその両端面が収容ケース１５より外部に臨むように露出して配設されている回転可能な調整手段としての軸体１７は、前記六角ナット１８に近い長さ方向一端側の端面に軸体１７を回すためにドライバーなどの治具の先端を係止させる−溝２８が形成され、六角ナット１８の位置から長さ方向他端側との間で全長に亘って互いに向き合うようにＶ溝２９，２９が対向して形成されている。つまり、軸体１７の周長さを２等分する位置にＶ溝２９，２９が形成されている。そして２本のＶ溝２９，２９の内、一方のＶ溝２９に渦巻ばね１６の中心側端部１６ａが係止され、駆動用歯車２１がラック２３に噛み合った状態で引戸１をガイドレール１０に沿って開き方向に移動させると、図１において駆動用歯車２１は反時計方向に回動し、渦巻ばね１６を締め付けていく。つまり、渦巻ばね１６の反発力を蓄積させて、引戸１から手を離すと蓄積された渦巻ばね１６の反発力により駆動用歯車２１が時計方向に回動して引戸１を自動的に閉動させることができる。そのとき、駆動用歯車２１に噛み合う制動用歯車２２を備えたオイルダンパによる制動装置１３が存在するので、閉動速度にブレーキを掛けることができる。
【００１２】
ところで、保守、点検などのために収容ケース１５を引戸１の凹部２７から横方向に引き抜くと収容ケース１５から前記ストッパー解除用金具２６の下端水平部２６ａが抜け外れてストッパー２５により駆動用歯車２１ならびに制動用歯車２２は自在に回動できなくなるのであるが、保守、点検などの際に収容ケース１５を開けて制動用歯車２２に対するストッパー２５の係合を手などで強制的に外し駆動用歯車２１を反発力の蓄積が零の状態で図６時計方向（引戸１が閉じるときに回転する方向）に手で回すと内部の渦巻ばね１６の中心側端部１６ａが一方のＶ溝２９から外れることになる（図１１Ａ〜Ｃ参照）。かかる状態で図１２Ａ〜Ｃに示すように収容ケース１５より外部に臨むように露出する軸体１７の長さ方向他端側の端面のＶ溝２９にドライバーなどの治具の先端を係止させて軸体１７を前記ばね１９の力に抗して時計方向に回転させることによりＶ溝２９に渦巻ばね１６の中心側端部１６ａが係合するように復帰することになる。なお、収容ケース１５を裏向けて軸体１７の長さ方向一端側の端面の−溝２８にドライバーなどの治具の先端を係止させて軸体１７を前記ばね１９の力に抗して時計方向に回転させ、渦巻ばね１６を締め付けることによりばね力の調整を行なうものである。
【００１３】
以上、図面に示す実施の形態について述べたが、自閉装置１４は引戸を閉方向に付勢するものであって、例えば特開平１１−２０６４号、特開平１１−１５２９５５号、特開平１１−１５９２３７号の各公報に示されるような自閉装置としても使用できる。また、前記軸体１７には周長さを２等分する位置にＶ溝２９，２９が２本形成されているが、Ｖ溝２９の数は１本でも３本以上であっても良く、２本に限定されるものではない。
【図面の簡単な説明】
【００１４】
【図１】本発明の一実施の形態における引戸装置の全体構成を示す正面図である。
【図２】図１のＸ−Ｘ矢視図である。
【図３】図１のＹ−Ｙ矢視図である。
【図４】同制動装置付き自閉装置を正面側から見た斜視図である。
【図５】同制動装置付き自閉装置を背面側から見た斜視図である。
【図６】同制動装置付き自閉装置の内部の正面図である。
【図７】同ストッパー解除用金具の斜視図である。
【図８】同ストッパー解除用金具によりストッパーを制動用歯車から外した状態を示す断面図である。
【図９】同渦巻ばねの中心側端部を係止させる軸体の斜視図である。
【図１０】同渦巻ばねケース内における軸体と渦巻ばねとの係止状態を示す要部拡大図である。
【図１１】Ａ〜Ｃは同駆動用歯車を逆回転させることにより渦巻ばねの中心側端部が軸体から外れる状態を示す要部拡大図である。
【図１２】Ａ〜Ｃは同軸体を回転させて渦巻ばねの中心側端部を軸体に係止させる状態を示す要部拡大図である。
【図１３】同開かれた引戸を停止させるために駆動用歯車の環状部の上端円弧面に圧接するストッパーばねの斜視図である。
【図１４】同開かれた引戸を停止させるために駆動用歯車の環状部の上端円弧面にストッパーばねが圧接した状態を示す拡大図である。
【符号の説明】
【００１５】
１        引戸
２        上枠
３        戸先側堅枠
４        戸尻側堅枠
５        床部
６，７    ブラケット
８，９    戸車
１０        ガイドレール
１１        レール部
１２        ガイドローラ
１３        制動装置
１４        自閉装置
１５        収容ケース
１５ａ      孔部
１６        渦巻ばね
１６ａ      中心側端部
１７        軸体
１８        六角ナット
１９        ばね
２０        渦巻ばねケース
２１ａ      環状部
２１        駆動用歯車
２２        制動用歯車
２３        ラック
２４        ストッパーばね
２５        ストッパー
２６        ストッパー解除用金具
２６ａ      下端水平部
２７        凹部
２８        −溝
２９        Ｖ溝
【図１】
2006214134.tif 000003
【図２】
2006214134.tif 000004
【図３】
2006214134.tif 000005
【図４】
2006214134.tif 000006
【図５】
2006214134.tif 000007
【図６】
2006214134.tif 000008
【図７】
2006214134.tif 000009
【図８】
2006214134.tif 000010
【図９】
2006214134.tif 000011
【図１０】
2006214134.tif 000012
【図１１】
2006214134.tif 000013
【図１２】
2006214134.tif 000014
【図１３】
2006214134.tif 000015
【図１４】
2006214134.tif 000016